(57)【要約】【課題】  部品数を少なくしてコストを低減した調光器の取付装置を提供する。【解決手段】  取付装置１は、矩形の枠体の一の対向する２辺からなり、調光器を保持する保持部１１と、枠体の他の対向する２辺からなり、壁面に固定するためのねじが挿通されるねじ孔１３を有し、埋込孔の周囲の少なくとも一部の壁面に当接して固定される固定部１２と、を有する取付枠１０と、調光器の機能面を露出させる開口部２１と、開口部の周囲に保持部および固定部を覆う化粧部２２と、化粧部に備えられ、それぞれ保持部の外側から保持部に係合する係合部２３とを有する化粧枠２０と、を備え、埋込孔内に配置されねじ孔に挿通されたねじが螺合される取付具と固定部とで壁面を挟持して取付枠が固定され、取付枠が壁面に固定された際、保持部は壁面より手前側に位置し、化粧枠の係合部が、保持部の外側から保持部に係合することで、化粧枠が取付枠に結合される。【選択図】  図５
0003204827.tif 000002
【実用新案登録請求の範囲】
【請求項１】
壁面に設けられた埋込孔に調光器を配設するための調光器の取付装置であって、
矩形の枠体の一の対向する２辺からなり、前記調光器を保持する保持部と、
前記枠体の他の対向する２辺からなり、前記壁面に固定するためのねじが挿通されるねじ孔を有し、前記埋込孔の周囲の少なくとも一部の前記壁面に当接して固定される固定部と、
を有する取付枠と、
前記調光器の機能面を露出させる開口部と、
前記開口部の周囲に前記保持部および前記固定部を覆う化粧部と、
前記化粧部に備えられ、それぞれ前記保持部の外側から前記保持部に係合する係合部と、
を有する化粧枠と、
を備え、
前記埋込孔内に配置されねじ孔に挿通された前記ねじが螺合される取付具と、前記固定部とで前記壁面を挟持して前記取付枠が固定され、前記取付枠が前記壁面に固定された際、前記保持部は、前記壁面より手前側に位置し、
前記化粧枠の前記係合部が、前記保持部の外側から前記保持部に係合することで、前記化粧枠が前記取付枠に結合される、
取付装置。
【請求項２】
前記取付枠は、両前記保持部を互いに連結する連結部をさらに備えることを特徴とする請求項１に記載の取付装置。
【請求項３】
前記保持部は、前記係合部が前記保持部に係合する位置の両側にガード部を備えることを特徴とする請求項１または請求項２に記載の取付装置。
【請求項４】
２以上の前記取付枠が前記保持部が並列するように配置される際、一の前記取付枠の前記保持部の前記ガード部は、他の前記取付枠の前記保持部の前記ガード部とは干渉しない位置に備えられることを特徴とする請求項３に記載の取付装置。
【請求項５】
前記保持部は、前記調光器の一部が前記保持部の内側から前記保持部の前記化粧枠側の面に係合することで前記調光器を保持することを特徴とする請求項１乃至請求項４のいずれかに記載の取付装置。
【考案の詳細な説明】
【技術分野】
【０００１】
本考案は、調光器の取付装置に関し、特に壁面に設けられた埋込孔に調光器を取り付けるための取付装置に関する。
【背景技術】
【０００２】
従来から、壁面に設けられた埋込孔に調光器を配設する調光器の取付装置が知られている。たとえば、特許文献１は、壁面に設けられるスイッチの機能部分を取り囲むための配線器具を開示する。この配線器具は、埋込形配線器具の器体を保持する保持部を有する取付枠と、壁面に設けられた埋込孔の周囲を囲む形で取付枠に固定されるプレート枠と、プレート枠に対して壁面と反対側の面に重ね合わせた形で結合される化粧枠とを備える。
【先行技術文献】
【特許文献】
【０００３】
【特許文献１】特開平１１−０６６９９１号公報
【考案の概要】
【考案が解決しようとする課題】
【０００４】
しかしながら、照明をオンオフするスイッチや照明の明るさを調整する調整器などの調光器を壁面に取り付けるために、上記従来技術では、取付枠と、プレート枠と、化粧枠の３つの部品が必要であり、コスト高となっていた。
そこで、本考案は、これらの３つの部品を２つの部品にした調光器の取付装置を提案する。
【課題を解決するための手段】
【０００５】
上記課題を解決するために、壁面に設けられた埋込孔に調光器を配設するための調光器の取付装置であって、矩形の枠体の一の対向する２辺からなり、調光器を保持する保持部と、枠体の他の対向する２辺からなり、壁面に固定するためのねじが挿通されるねじ孔を有し、埋込孔の周囲の少なくとも一部の壁面に当接して固定される固定部とを有する取付枠と、調光器の機能面を露出させる開口部と、開口部の周囲に保持部および固定部を覆う化粧部と、化粧部に備えられ、それぞれ保持部の外側から保持部に係合する係合部とを有する化粧枠と、を備え、埋込孔内に配置されねじ孔に挿通されたねじが螺合される取付具と、固定部とで壁面を挟持して取付枠が固定され、取付枠が壁面に固定された際、保持部は、壁面より手前側に位置し、化粧枠の係合部が、保持部の外側から保持部に係合することで、化粧枠が取付枠に結合される取付装置が提供される。
これによれば、取付枠と化粧枠の２つの部品のみで調光器を壁面の埋込孔に配設することができるので、コストを低減することができる。
【０００６】
さらに、取付枠は、両保持部を互いに連結する連結部をさらに備えることを特徴としてもよい。
これによれば、調光器や化粧枠が保持部に係合しても、保持部が撓むことを防止することができ、確実に調光器を保持することができる。
【０００７】
さらに、保持部は、係合部が保持部に係合する位置の両側にガード部を備えることを特徴としてもよい。
これによれば、化粧枠を取付枠に取り付ける者に対して、取り付ける位置が明確になると共に、化粧枠を保持部に取り付けた後で化粧枠が位置ずれすることを防止することができる。
【０００８】
さらに、２以上の取付枠が保持部が並列するように配置される際、一の取付枠の保持部のガード部は、他の取付枠の保持部のガード部とは干渉しない位置に備えられることを特徴としてもよい。
これによれば、取付枠を並べて配置する際、隣り合う取付枠のガード部同士が衝突することが無くなり、並べて配置する際のスペースを小さくすることができる。
【０００９】
さらに、保持部は、調光器の一部が保持部の内側から保持部の化粧枠側の面に係合することで調光器を保持することを特徴としてもよい。
これによれば、保持部が簡便な構造で構成することができるので、さらにコストを低減することができる。
【考案の効果】
【００１０】
以上説明したように、本考案によれば、部品数を少なくしてコストを低減した調光器の取付装置を提供できる。
【図面の簡単な説明】
【００１１】
【図１】本考案に係る第一実施例の取付装置を含む、埋込孔に調光器を取り付ける状態の展開斜視図。
【図２】本考案に係る第一実施例の取付装置を含む、埋込孔に調光器を取り付けた状態の断面図。
【図３】本考案に係る第一実施例の取付装置の取付枠の、（Ａ）正面図、（Ｂ）上面図、（Ｃ）側面図、（Ｄ）背面図。
【図４】本考案に係る第一実施例の取付装置の化粧枠の、（Ａ）正面図、（Ｂ）上面図、（Ｃ）側面図、（Ｄ）背面図。
【図５】本考案に係る第一実施例の取付装置の展開斜視図。
【図６】本考案に係る第一実施例の取付装置に用いられる調光器の、（Ａ）正面図、（Ｂ）上面図、（Ｃ）側面図。
【図７】本考案に係る第一実施例の取付装置に用いられる調光器と調光器カバーの展開斜視図。
【図８】本考案に係る第一実施例の取付装置の取付枠と用いられる調光器の展開斜視図。
【図９】本考案に係る第一実施例の取付装置の取付枠に調光器が取り付けられた場合を示す説明図。
【図１０】本考案に係る第一実施例の取付装置の取付枠を２つ並べた場合の正面図。
【図１１】本考案に係る第二実施例の取付装置の取付枠の正面図。
【考案を実施するための形態】
【００１２】
＜第一実施例＞
以下では、図面を参照しながら、本考案に係る実施例について説明する。図１および図２を参照し、本実施例にかかる取付装置１について説明する。取付装置１は、壁面ＷＬに設けられた埋込孔ＨＬに調光器ＳＷを配設するための装置である。壁面ＷＬは、所謂、取付装置１を取り付ける施工面であり、建物の内装壁の表面である。壁面ＷＬには取付装置１を取り付ける位置および大きさに対応した埋込孔ＨＬが開けられており、そこに表側に表れる取付装置１と、内装壁の裏側にある配線用の空間を利用して配置する取付具ＢＸとで内装壁を挟むようにして取付装置１は壁面ＷＬに取り付けられる。なお、内装壁の厚さは、ねじＢＬにより調整できるため特に限定されるものではない。
【００１３】
また、調光器ＳＷは、本明細書では、照明の明るさを無段階で調整できるダイヤル式の調光つまみＳ２を機能面ＳＷＦに有する調光器を例示する（図６と図７）が、これに限定されないことは言うまでもない。たとえば、調光器ＳＷは、所謂プッシュボタン式の調光器であってもよいし、スライド式の調光器であってもよい。なお、調光器ＳＷは、調光つまみＳ２を除く機能面ＳＷＦに化粧面の調光器カバーＳＷＣを有する。また、取付具ＢＸは、ねじＢＬと螺合するための螺合孔ＢＸＢを有し、図示するような調光器ＳＷの調光器本体Ｓ１を内部に包含する空間を有するボックスタイプの取付具でもよいし、螺合孔ＢＸＢを有し、埋込孔ＨＬの大きさに適合する平板な枠状の金具でもよい。
【００１４】
取付装置１は、壁面ＷＬに設けられる埋込孔ＨＬの奥に埋め込まれた取付具ＢＸにねじＢＬで壁面ＷＬ側からねじ止めされる取付枠１０と、化粧面を有し、取付枠１０の壁面ＷＬに表れる部分をその化粧面で覆うようにして取付枠１０に結合されて取り付けられる化粧枠２０とを備える。
【００１５】
図３に示すように、取付枠１０は、矩形の枠体ＦＬから構成され、矩形の枠体ＦＬの一の対向する２辺ＦＬ１からなる保持部１１と、枠体ＦＬの他の対向する２辺ＦＬ２からなる固定部１２とを備える。本実施例では、保持部１１は、縦方向の相対的に長い一の対向する２辺ＦＬ１であり、固定部１２は、横方向の相対的に短い他の対向する２辺ＦＬ２である。
【００１６】
保持部１１は、金属製または合成樹脂製であり、一の対向する２辺ＦＬ１で調光器ＳＷを保持する。図６、図８および図９を参照し、具体的に説明する。調光器ＳＷは、調光器本体Ｓ１と、調光器つまみＳ２を備えると共に、調光器本体Ｓ１の機能面ＳＷＦ側の四隅に金属製または合成樹脂製の被保持部Ｓ３を備える。被保持部Ｓ３は、テーパー状をなしており、それぞれ横方向であって外側（保持部１１に保持された場合保持される保持部１１の方）に向けてわずかに突出した被保持爪Ｓ４を有する。被保持部Ｓ３の被保持爪Ｓ４より調光器本体Ｓ１側であって外側の部分（被保持部Ｓ３の根元外側面）は、保持部１１に保持された場合、保持部１１の内側面１１Ｓに一致するように設けられる。すなわち、被保持部Ｓ３の根元外側面同士の距離は、保持部１１の内側面１１Ｓ同士の距離に等しい。
【００１７】
調光器ＳＷが保持部１１に取り付けられる際、保持部１１の奥の方から保持部１１の内側面１１Ｓに各被保持部Ｓ３のテーパー状の外側面を当接させて、手前側へ摺動させながら移動させる。そうすると、保持部１１と被保持部Ｓ３は金属製または合成樹脂製なので、保持部１１は被保持部Ｓ３の突出する被保持爪Ｓ４に押されてわずかに外側に撓み、被保持部Ｓ３は保持部１１に押されてわずかに内側に撓む。
【００１８】
さらに、調光器ＳＷを手前側へ摺動させながら移動させると、被保持爪Ｓ４は、保持部１１の内側面１１Ｓを通過し、保持部１１の正面側の面まで到達する。そうすると、撓んでいた保持部１１や被保持部Ｓ３が元に戻り、被保持部Ｓ３の根元外側面が保持部１１の内側面１１Ｓに当接すると共に、被保持爪Ｓ４が保持部１１の正面側の面に係合する。これにより、調光器ＳＷは、保持部１１に保持され、両者は結合される。
【００１９】
すなわち、保持部１１は、調光器ＳＷの被保持部Ｓ３という一部が保持部１１の内側（内側面１１Ｓ）から保持部１１の化粧枠側（正面側）の面に係合することで調光器ＳＷを保持する。これによれば、保持部１１に調光器ＳＷを取り付けるための特別な構造を必要とせず、単純な矩形断面を有すればよく簡便な構造で構成することができるので、コストを低減することができる。
【００２０】
なお、調光器ＳＷの被保持部Ｓ３の構造はこれに限定されることはない。たとえば、被保持部の先端部分を折り曲げられるようにしておき、その折り曲げた部分を、保持部１１の化粧枠側（正面側）の面に当接するようにして、調光器ＳＷは保持部１１に保持されてもよい。
【００２１】
また、保持部１１の化粧枠側（正面側）の面に係合する被保持部Ｓ３の面（被保持爪Ｓ４の爪の段差部分）から、調光器本体Ｓ１の機能面ＳＷＦ側の面までの距離は、保持部１１の厚さに等しいことが好ましい。これによれば、調光器ＳＷは、保持部１１の化粧枠側（正面側）の面に係合する被保持部Ｓ３の面と調光器本体Ｓ１の機能面ＳＷＦ側の面とで保持部１１を挟持することにより、確実に保持部１１に保持される。
【００２２】
また、本実施例の保持部１１は、保持部１１の横方向断面（水平方向断面）による断面がＬ字型をなすよう、外側において厚み方向（前後方向）にさらに部材（１１Ｗ）を有する。この部材の内側面間の距離は、調光器本体Ｓ１の幅に一致することが好ましい。これにより、保持部１１は、調光器本体Ｓ１の側面にも当接することとなり、確実に調光器ＳＷを保持できる。また、本実施例では、１つの調光器ＳＷのみが保持部１１に保持されている状態を示すが、もちろん、調光器ＳＷを縦に並べて、一つの保持部１１に複数の調光器ＳＷを保持するようにしてもよい。
【００２３】
固定部１２は、枠体ＦＬにおいて保持部１１とは垂直な対向する２辺ＦＬ２であり、埋込孔ＨＬの上下の壁面ＷＬに当接して固定される。本実施例では、固定部１２は埋込孔ＨＬの上下の壁面ＷＬに固定されるが、これに限定されず、埋込孔ＨＬの左右の壁面ＷＬに固定されてもよい。したがって、固定部１２は、埋込孔ＨＬの周囲の少なくとも一部の壁面ＷＬに当接して固定される。
【００２４】
固定部１２は、壁面ＷＬに固定するためのねじＢＬが挿通されるねじ孔１３を中央部付近に有する。ねじ孔１３はねじＢＬを挿通し、ねじＢＬは壁面ＷＬを貫通し、埋込孔ＨＬ内に配置された取付具ＢＸの螺合孔ＢＸＢにねじ先を挿入し螺合し、ねじＢＬを締める。これにより、固定部１２の壁面ＷＬ側の面と取付具ＢＸが、内装壁を挟持する。すなわち、取付枠１０は、埋込孔ＨＬ内に配置されねじ孔１３に挿通されたねじＢＬが螺合される取付具ＢＸと固定部１２とで、壁面ＷＬを挟持することにより固定される。
【００２５】
なお、本実施例では、上述したように保持部１１はＬ字型をなすよう外側に厚み方向に部材（１１Ｗ）を有するが、基本的には固定部１２と保持部１１は、平板な枠体ＦＬから構成される。このため、取付枠１０が壁面ＷＬに固定された際、保持部１１は、壁面ＷＬより手前側（正面側または化粧枠側）に位置する。すなわち、固定部１２は、埋込孔ＨＬの周囲の壁面ＷＬにその裏面（背面側の面）を当接して固定されるため、平板な枠体ＦＬの一部である保持部１１も、壁面ＷＬより手前側に位置することになる。
【００２６】
図４に示すように、化粧枠２０は、調光器ＳＷの機能面ＳＷＦを露出させる開口部２１と、開口部２１の周囲の保持部１１および固定部１２を覆う化粧部２２と、化粧部２２に備えられ、それぞれ保持部１１の外側から保持部１１に係合する係合部２３とを備える。開口部２１は、取り付ける調光器ＳＷの個数に応じた調光器ＳＷの機能面ＳＷＦを露出できる大きさの開口であればよい。開口部２１は、取り付ける調光器ＳＷの機能面ＳＷＦと一致していることが好ましい。化粧部２２は、合成樹脂製であり、見栄え良く作製され、開口部２１付近に表れる保持部１１や固定部１２を覆う。
【００２７】
係合部２３は、化粧枠２０の裏面（背面側の面）から背面側へ突出するように設けられ、係合部２３の対向する内側面間の距離は、保持部１１の対向する外側面同士の距離に等しく、保持部１１の外側から保持部１１に係合する。上述したように、調光器ＳＷは保持部１１の内側（内側面１１Ｓ）から保持されるところ、化粧枠２０が保持部１１の外側（外側面）から係合することで、保持部１１は、化粧枠２０と調光器ＳＷを互いに干渉することなく保持・係合することが可能となる。
【００２８】
図５を参照し、化粧枠２０と取付枠１０の結合について説明する。係合部２３は、先端が鉤状に形成されて、その鉤状部分が保持部１１の裏面側（背面側）に到達すれば、化粧枠２０は取付枠１０に確実に係合することが好ましい。本実施例では保持部１１はＬ字型をなすよう外側に厚み方向に部材（１１Ｗ）を有するが、当該部材の裏面側に鉤状部分が到達する係合部２３であればよい。また、本実施例のように、係合部２３に適合する位置であって、保持部１１の外側面の正面側の位置にわずかに突出した被係合部１５を有することが好ましい。係合部２３は、この被係合部１５に係合することで化粧枠２０が取付枠１０に確実に係合すると共に、係合部２３の突出長さが短くてすむ。ただし、この被係合部１５は必須の構成要素ではない。
【００２９】
このように、化粧枠２０の係合部２３が、保持部１１の外側から保持部１１に係合することで、化粧枠２０が取付枠１０に結合される。これによれば、取付枠１０と化粧枠２０の２つの部品のみで調光器ＳＷを壁面ＷＬの埋込孔ＨＬに配設することができるので、コストを低減することができる。
【００３０】
また、本実施例のように、保持部１１は、化粧枠２０の係合部２３が保持部１１に係合する位置の外側面における両側にガード部１４を備えてもよい。ガード部１４は、保持部１１の外側面から突出するように、また被係合部１５がある場合はそれよりもさらに突出するように設けられることが好ましい。これによれば、化粧枠２０を取付枠１０に取り付ける者に対して、取り付ける位置が明確になると共に、化粧枠２０を保持部１１に取り付けた後で化粧枠２０が位置ずれすることを防止することができる。
【００３１】
また、図１０に示すように、２つの取付枠１０が横に並べられて壁面ＷＬに取り付けられる場合がある。このように２以上の取付枠１０が、保持部１１が並列するように配置される際、一方の取付枠１０の保持部１１のガード部１４は、他方の取付枠１０の保持部１１であって一方の取付枠１０に近い方の保持部１１のガード部１４とは干渉しない位置に備えられることが好ましい。
【００３２】
すなわち、１つの取付枠１０において、一方の保持部１１におけるガード部１４の位置と、他方の保持部１１におけるガード部１４の位置は、互いにずれた位置に存する。このような取付枠１０を２つ横に並べた場合、一方の取付枠１０の保持部１１のガード部１４と、隣接する他方の取付枠１０の保持部１１のガード部１４とは、互いにずれており、干渉することがない。
【００３３】
これによれば、取付枠１０を並べて配置する際、隣り合う取付枠１０のガード部１４同士が衝突することが無くなり、並べて配置する際のスペースを小さくすることができる。なお、このように２以上の取付枠１０が保持部１１が並列するように配置される場合は、これら２以上の取付枠１０を覆うことができ、２つ以上の開口部を適合した位置に有する１つの化粧枠を備えることが好ましい。これにより、横に並んだ機能面ＳＷＦのみを露出させることができる。
【００３４】
＜第二実施例＞
図１１を参照し、本実施例における取付装置１Ａを説明する。なお、重複記載を避けるために、上記実施例と同じ構成要素には同じ符号を付し、異なる部分を中心に説明する。取付装置１Ａは、壁面ＷＬに設けられる埋込孔ＨＬの奥に埋め込まれた取付具ＢＸにねじＢＬで壁面ＷＬ側からねじ止めされる取付枠１０Ａと、化粧面を有し、取付枠１０Ａの壁面ＷＬに表れる部分をその化粧面で覆うようにして取付枠１０Ａに結合されて取り付けられる化粧枠２０とを備える。
【００３５】
取付枠１０Ａは、矩形の枠体ＦＬから構成され、矩形の枠体ＦＬの一の対向する２辺ＦＬ１からなる保持部１１と、枠体ＦＬの他の対向する２辺ＦＬ２からなる固定部１２と、両保持部１１を互いに連結する連結部１６とを備える。本実施例では、保持部１１は、縦方向の相対的に長い一の対向する２辺ＦＬ１であるので、連結部１６は、枠体ＦＬの内この比較的長い対向する２辺ＦＬ１を連結する。
【００３６】
保持部１１は、上述したように、内側面１１Ｓで調光器ＳＷを保持し、外側面で化粧枠２０と係合するため、２辺ＦＬ１の軸と垂直方向から力を受けて撓み易い。したがって、枠体ＦＬの内この比較的長い対向する２辺ＦＬ１を連結する連結部１６があることで、調光器ＳＷや化粧枠２０が保持部１１に係合しても、保持部１１が撓むことを防止することができ、確実に保持・係合することができる。特に、取付枠１０は、合成樹脂で形成されていてもよく、かかる場合には、金属の取付枠より保持部１１は撓み易い場合があるので効果が大きい。なお、取付枠１０を合成樹脂で形成することにより、コスト安く製造することができるので、さらにコストを低減することができる。なお、従来品は、取付枠に相当する部品は金属製であり、本発明のように合成樹脂製でもよいというものはない。
【００３７】
本実施例では、連結部１６は、保持部１１のほぼ中央で両者を連結するが、これに限定されず、２以上の調光器ＳＷを一つの保持部１１に取り付ける場合に、それぞれの調光器ＳＷの縦長さに合わせて連結部１６を設けることが好ましい。これによれば、それぞれの調光器ＳＷを保持部１１が保持する際撓むことが防止でき、確実に調光器ＳＷを保持することができる。
【００３８】
なお、本考案は、例示した実施例に限定するものではなく、特許請求の範囲の各項に記載された内容から逸脱しない範囲の構成による実施が可能である。すなわち、本考案は、主に特定の実施形態に関して特に図示され、かつ説明されているが、本考案の技術的思想および目的の範囲から逸脱することなく、以上述べた実施形態に対し、数量、適用例、その他の詳細な構成において、当業者が様々な変形を加えることができるものである。
【符号の説明】
【００３９】
１        取付装置
１０      取付枠
１１      保持部
１１Ｓ    保持部の内側面
１１Ｗ    保持部の厚み方向の部材
１２      固定部
１３      ねじ孔
１４      ガード部
１５      被係合部
１６      連結部
ＦＬ      枠体
ＦＬ１    一の対向する２辺
ＦＬ２    他の対向する２辺
２０      化粧枠
２１      開口部
２２      化粧部
２３      係合部
ＳＷ      調光器
Ｓ１      調光器本体
Ｓ２      調光つまみ
Ｓ３      被保持部
Ｓ４      被保持爪
ＳＷＦ    機能面
ＳＷＣ    調光器カバー
ＳＣ１    調光スイッチ開口部
ＢＬ      ねじ
ＢＸ      取付具
ＢＸＢ    螺合孔
ＷＬ      壁面
ＨＬ      埋込孔
【図１】
0003204827.tif 000003
【図２】
0003204827.tif 000004
【図３】
0003204827.tif 000005
【図４】
0003204827.tif 000006
【図５】
0003204827.tif 000007
【図６】
0003204827.tif 000008
【図７】
0003204827.tif 000009
【図８】
0003204827.tif 000010
【図９】
0003204827.tif 000011
【図１０】
0003204827.tif 000012
【図１１】
0003204827.tif 000013